(57)【要約】【課題】蓋の開け難さやロック機構での摩滅や破損の発生が抑えられた蓋付き物品を提供する。【解決手段】本体装置１１０と表示装置１２０とを有したノートＰＣ１００が、ロック用部品１１３を備えた。ロック用部品１１３は、本体装置１１０に組み込まれた、決まった経路で移動が自在な部品である。このロック用部品１１３は、ロック部１１４を有する。ロック部１１４は、表示装置１２０の被係合部１２２と係合して表示装置１２０を閉状態に保つ。また、ロック用部品１１３は、上記経路の一端側から他端側へと移動操作されることで、被係合部１２２から離れる方向へと移動させて係合を解く。さらに、ロック用部品１１３は、移動操作の後段で表示装置１２０に斜面１１５によって表示装置１２０を押し上げる。【選択図】        図３
2011108170.tif 000002
【特許請求の範囲】
【請求項１】
本体と、
前記本体に対して開閉自在な蓋と、
前記本体および前記蓋の少なくとも一方である被組込体に組み込まれた、該被組込体に対して決まった経路で移動が自在な、該経路の一端側に向かうにつれて、前記本体および前記蓋のうち該被組込体に対する他方である他体の一部分に接近する、該一部分に最接近することで該一部分と係合して前記蓋を閉状態に保つ可動部品と、
前記被組込体に組み込まれた、該被組込体に対して決まった経路で移動が自在な、該経路の一端側から他端側へと移動操作されることで、その移動操作の前段で前記可動部品に操作力を伝達して該可動部品を前記一部分から離れる方向へと前記経路上で移動させて該可動部品と該一部分との係合を解き、該移動操作の後段で前記蓋に操作力を伝達して該蓋を前記本体に対して押し上げる操作部品とを備えたことを特徴とする蓋付き物品。
【請求項２】
前記可動部品と前記操作部品が一体の可動操作部品であることを特徴とする請求項１記載の蓋付き物品。
【請求項３】
前記他体が、前記被組込体側に突出して前記操作部品の移動経路上に達した突出部を有するものであり、
前記操作部品が、前記移動操作の後段で前記突出部に当接することで前記蓋を前記本体に対して押し上げるものであることを特徴とする請求項１または２記載の蓋付き物品。
【請求項４】
前記他体が、前記一部分として、前記被組込体側に突出して前記可動部品の移動経路上に達した突出部を有するものであり、
前記可動部品が前記突出部と係合するものであることを特徴とする請求項１から３のうちいずれか１項記載の蓋付き物品。
【請求項５】
前記操作部品が、前記被組込体から前記他体側に突出した突出部分を有する、前記移動操作の後段で該突出部分が前記他体に当接することで前記蓋を前記本体に対して押し上げるものであることを特徴とする請求項１または２記載の蓋付き物品。
【発明の詳細な説明】
【技術分野】
【０００１】
本件は、本体と蓋とを備えた蓋付き物品に関する。
【背景技術】
【０００２】
本体と蓋とを備えた蓋付き物品の一例として、ノート型のパーソナルコンピュータ（ノートＰＣ）が挙げられる。ノートＰＣでは、液晶パネル等が収納された表示装置と、ＣＰＵやメモリ等が収納された本体装置とがヒンジによって連結されている。これにより、表示装置が本体装置に対して回動自在となり、ノートＰＣは、液晶パネルがユーザ側を向くように本体装置に対して表示装置が開いた開状態と、その液晶パネルが本体装置に重なった閉状態とを自在に取り得ることとなる。このようなノートＰＣでは、表示装置を上記の蓋付き物品の蓋と捉え、本体装置を蓋付き物品の本体と捉えることができる。
【０００３】
ここで、ノートＰＣの多くでは、閉状態にある表示装置が不用意に開かないようにロックするロック機構（例えば、特許文献１参照。）を有している。このようなロック機構では、表示装置と本体装置とのいずれか一方に組み込まれた可動部品が、閉状態において他方の一部分に係合することでロックが行われる。また、ロック解除の際には、この可動部品が動かされて係合が解かれることとなる。そして、ユーザは、ロックを解除した後に、表示装置や本体装置を掴んでノートＰＣを開く。
【０００４】
近年、ノートＰＣを含む様々な物品について筐体のデザイン性が重視されている。例えばノートＰＣの好ましいデザインとして、閉状態に置かれた表示装置と本体装置との間で外観上の段差を無くしたデザインが増えている。また、薄型化の進展が著しいノートＰＣでは、ユーザの指のサイズに対して表示装置等の厚みが非常に薄くなってきている。このようなデザインでは、ロック解除後にユーザがノートＰＣを開くときの手掛りが少ないため、ノートＰＣは開き難くなっている。
【０００５】
ここで、ノートＰＣに限らず一般的な蓋付き物品で採用されているロック機構の中には、上記の蓋を押上げながら可動部品の係合を解く構造を有しているものがある（例えば、特許文献２〜５参照。）。このような構造のロック機構を、上記のようなノートＰＣに適用すれば、ロック解除時に、表示装置と本体装置との間に隙間が生じる。このため、ロック解除後には、ユーザは、その隙間をノートＰＣを開くときの手掛りとして利用することができるので、ノートＰＣを容易に開くことが可能となる。
【先行技術文献】
【特許文献】
【０００６】
【特許文献１】特開２００３−２４１８５４号公報
【特許文献２】実公平７−１０５４１号公報
【特許文献３】特開平７−２７４３２１号公報
【特許文献４】特開平９−１２１９３１号公報
【特許文献５】特開平９−２６７８５３号公報
【発明の概要】
【発明が解決しようとする課題】
【０００７】
しかしながら、上記のように蓋を押上げながら可動部品の係合を解くロック機構では、可動部品や、その可動部品が係合している相手側の部分等に無理な負荷が掛かり、ロック解除を繰り返す内にそれらの箇所に摩滅や破損が生じる恐れがある。また、そのような摩滅や破損の結果として、蓋が不用意に開いてしまう恐れもある。
【０００８】
尚、ここまで、蓋付き物品の一例として主にノートＰＣを例に挙げて、蓋の開け難さやロック機構での摩滅や破損の発生について説明した。しかし、このような事情は、ノートＰＣに限らず、例えば化粧品等を収容する蓋付き容器等についても同様に生じ得る。
【０００９】
本件は上記事情に鑑み、蓋の開け難さやロック機構での摩滅や破損の発生が抑えられた蓋付き物品を提供することを目的とするものである。
【課題を解決するための手段】
【００１０】
上記目的を達成する蓋付き物品の基本形態は、本体と、その本体に対して開閉自在な蓋と、可動部品と、操作部品とを備えている。
【００１１】
可動部品は、上記本体および上記蓋の少なくとも一方である被組込体に組み込まれた、その被組込体に対して決まった経路で移動が自在なものである。さらに、この可動部品は、その経路の一端側に向かうにつれて、上記本体および上記蓋のうちその被組込体に対する他方である他体の一部分に接近する。そして、この可動部品は、その一部分に最接近することでその一部分と係合して上記蓋を閉状態に保つ。
【００１２】
操作部品は、上記被組込体に組み込まれた、その被組込体に対して決まった経路で移動が自在な、その経路の一端側から他端側へと移動操作されるものである。
【００１３】
この操作部品は、そのように移動操作されることで、その移動操作の前段で上記可動部品に操作力を伝達してその可動部品を上記一部分から離れる方向へと上記経路上で移動させてその可動部品とその一部分との係合を解く。さらに、この操作部品は、その移動操作の後段で上記蓋に操作力を伝達してその蓋を上記本体に対して押し上げる。
【発明の効果】
【００１４】
本件によれば、蓋付き物品について、蓋の開け難さやロック機構での摩滅や破損の発生を抑えることができる。
【図面の簡単な説明】
【００１５】
【図１】蓋付き物品に対する具体的な第１実施形態であるノートＰＣを示す斜視図である。
【図２】閉状態から開状態への移行途中にある図１のノートＰＣを示す斜視図である。
【図３】図１の閉状態にあるノートＰＣの、図２に示す被係合部周辺についての拡大断面図である。
【図４】ロック用部品を示す斜視図である。
【図５】ロック部が被係合部から外れた状態を示す、図３と同様の拡大断面図である。
【図６】ロック解除ボタンが本体装置奥側に更に押し込まれた状態を示す、図３と同様の拡大断面図である。
【図７】ロック状態にある比較例のロック機構の、図３と同様の拡大断面図である。
【図８】比較例のロック機構が備えたロック用部品の斜視図である。
【図９】比較例のロック機構においてロックが解除された状態を示す、図３と同様の拡大断面図である。
【図１０】比較例のロック機構を備えるノートＰＣが開かれる様子を模式的に示す図である。
【図１１】比較例のロック機構を備えるノートＰＣについて、ユーザの指のサイズと表示筐体の厚みとを比較した比較図である。
【図１２】蓋付き物品に対する具体的な第２実施形態であるノートＰＣを示す斜視図である。
【図１３】第２実施形態におけるロック解除ボタンの拡大斜視図である。
【図１４】図１２の閉状態にあるノートＰＣの、ロック機構周辺についての、このノートＰＣにおける幅方向の拡大断面図である。
【図１５】ロック部が本体装置側ロック用穴の左側の縁から外れた状態を示す、図１４と同様の拡大断面図である。
【図１６】ロック解除ボタンが更にスライドされた状態を示す、図１３と同様の拡大断面図である。
【図１７】限界までスライドされたロック解除ボタンの周辺を示す拡大斜視図である。
【図１８】第３実施形態のノートＰＣにおける本体装置を、バッテリパックが装着された裏面を上に向けて裏返した状態で示した斜視図である。
【図１９】バッテリ筐体の縁の係止爪が見えるように、バッテリパックを装置部分から外した状態を示す斜視図である。
【図２０】ロック状態にある係止爪の周辺を示す拡大図である。
【図２１】ロック解除ボタンが限界までスライドされて、バッテリパックが装置部分から押し上げられた様子を示す図である。
【図２２】バッテリパックが装置部分に装着されてロックされた本体装置を示す図である。
【図２３】ロックが解除された状態の本体装置を示す図である。
【図２４】ロックの解除後にバッテリパックが装置部分から押し上げられた状態の本体装置を示す図である。
【発明を実施するための形態】
【００１６】
以下、上記に基本形態について説明した筐体および電子機器の具体的な実施形態について、図面を参照して説明する。
【００１７】
図１は、蓋付き物品に対する具体的な第１実施形態であるノートＰＣを示す斜視図である。
【００１８】
このノートＰＣ１００は、本体装置１１０と表示装置１２０とを備えている。本体装置１１０は、本体筐体１１１内に、ＣＰＵやメモリ等が収納されたものである。また、表示装置１２０は、表示筐体１２１に液晶パネルや光源等が収納されたものである。そして、本体装置１１０と表示装置１２０は、表示装置１２０が本体装置１１０に対し矢印Ａ方向に開閉自在となるようにヒンジ１３０で連結されている。この図１には、表示装置１２０が本体装置１１０に対し閉じた閉状態にあるノートＰＣ１００の外観図が示されている。
【００１９】
本実施形態では、本体装置１１０が、上述の基本形態における本体の一例に相当し、表示装置１２０が、この基本形態における蓋の一例に相当する。
【００２０】
この図１に示すノートＰＣ１００では、本体装置１１０や表示装置１２０が薄型に設計されている。さらに、閉状態に置かれた本体装置１１０と表示装置１２０との間で外観上の段差が極力無くされたデザインとなっている。
【００２１】
ここで、このノートＰＣ１００には、図１に示す閉状態を保つ（ノートＰＣ１００をロックする）後述のロック機構が備えられている。そして、本体装置１１０における、図１における手前側の側面に、ロック解除時に操作されるロック解除ボタン１１２が配備されている。
【００２２】
本実施形態では、ロック解除時には、ユーザによって、このロック解除ボタン１１２が図１中の矢印Ｂが示す奥行き方向に押し込まれる。そして、ロック解除後に、ユーザが、本体筐体１１１や表示筐体１２１を掴んで開くことで、ノートＰＣ１００は、不図示の液晶パネルがユーザ側を向いた開状態に移行することとなる。
【００２３】
図２は、閉状態から開状態への移行途中にある図１のノートＰＣを示す斜視図である。
【００２４】
この図２に示すように、表示装置１２０では、表示筐体１２１の、ヒンジ１３０と対向する手前側の縁の中央から被係合部１２２が突出している。この被係合部１２２は、本体装置１１０の内部に配備されている後述のロック部が閉状態の際に係合するものである。
【００２５】
また、本体筐体１１１の上面には、図１の閉状態の際に被係合部１２２が入り込むロック用穴１１１ａが、ロック解除ボタン１１２の近傍に設けられている。閉状態の際には、このロック用穴１１１ａから被係合部１２２が本体筐体１１１の内部に進入する。そして、被係合部１２２が、ロック解除ボタン１１２と一体の後述するロック用部品と係合することでノートＰＣ１００がロックされる。
【００２６】
図３は、図１の閉状態にあるノートＰＣの、図２に示す被係合部周辺についての拡大断面図である。この拡大断面図は、ノートＰＣ１００が奥行き方向に切られた断面を表している。
【００２７】
この図３に示すように、閉状態では、ロック用穴１１１ａから被係合部１２２が本体筐体１１１の内部に進入している。本体筐体１１１の内部には、この被係合部１２２が進入してくる箇所にロック用部品１１３が配置されている。
【００２８】
図４は、ロック用部品を示す斜視図である。
【００２９】
以下、このロック用部品１１３について、図３と図４とを参照して説明する。
【００３０】
ロック用部品１１３の、図４の右側は本体装置１１０の前方側に突き出している。この突き出した箇所が、図１や図２にも示したロック解除ボタン１１２となっている。そして、このロック用部品１１３は、概ね四角筒形状を有しており、ロック解除ボタン１１２は、この四角筒形状における４つの側壁のうちの１つに相当している。このロック解除ボタン１１２と対向する壁面からは、本体装置１１０前方側に向かって、上記の被係合部１２２に係合するロック部１１４が突出している。さらに、このロック部１１４と対向するロック解除ボタン１１２の裏側の壁面には、本体装置１１０前方側に向かって高さが増す斜面１１５が形成されている。
【００３１】
このロック用部品１１３は、図３中の矢印Ｃが示す方向に沿った移動経路で進退自在に本体筐体１１１内に取り付けられている。この矢印Ｃが示す方向は、ノートＰＣ１００の奥行き方向に相当する。
【００３２】
このロック用部品１１３は、本体筐体１１１内で、バネ１１６によって、本体装置１１０前方側に付勢されることで、この移動経路の一端に押し付けられている。
【００３３】
本実施形態では、このロック用部品１１３が、上述の基本形態における可動部品と操作部品とを兼ねた一例に相当する。
【００３４】
ノートＰＣ１００が閉じられて本体筐体１１１の内部に被係合部１２２が進入する際には、被係合部１２２の先端がロック部１１４の前面に当接して、ロック用部品１１３をバネ１１６の付勢力に反して本体装置１１０奥側に後退させる。そして、被係合部１２２の先端がロック部１１４の前面を通過すると、バネ１１６の付勢力によってロック用部品１１３が本体装置１１０前方側に移動する。その結果、ロック部１１４が被係合部１２２に係合して、ノートＰＣ１００が閉状態にロックされることとなる。以上に説明した被係合部１２２と、ロック用部品１１３と、バネ１１６との集合体がロック機構である。
【００３５】
本実施形態では、ロック用部品１１３が組み込まれている本体装置１１０が、上述の基本形態における被組込体の一例に相当する。そして、ロック部１１４が係合する被係合部１２２が突出している表示装置１２０が、この基本形態における他体の一例に相当する。また、被係合部１２２が、この基本形態における「他体の一部分」の一例に相当する。
【００３６】
ロック解除時には、ユーザによって、ロック解除ボタン１１２が本体装置１１０奥側に押し込まれる。このようにロック解除ボタンが１１２押し込まれることで、ロック用部品１１３が、バネ１１６の付勢力に反して本体装置１１０奥側に移動操作されることとなる。そして、この移動操作の前段において、ロック部１１４が被係合部１２２から外れることでロックが解除される。
【００３７】
図５は、ロック部が被係合部から外れた状態を示す、図３と同様の拡大断面図である。
【００３８】
ロック解除ボタン１１２が本体装置１１０奥側に押し込まれると、上記のように移動操作の前段においてロック部１１４が被係合部１２２から外れる。そして、このときには、ロック用部品１１３の斜面１１５が被係合部１２２の先端に達する。
【００３９】
この移動操作の前段に続く後段では、ロック解除ボタン１１２が本体装置１１０奥側に更に押し込まれる。すると、以下に説明するように、この移動操作の後段で、表示装置１２０が押し上げられる。
【００４０】
図６は、ロック解除ボタンが本体装置奥側に更に押し込まれた状態を示す、図３と同様の拡大断面図である。
【００４１】
ロック解除ボタン１１２が、図５に示すロック解除状態を経て、移動操作の後段で本体装置１１０奥側に更に押し込まれると、ロック用部品１１３は、斜面１１５に被係合部１２２の先端が乗り上げたまま移動する。すると、被係合部１２２の先端が、斜面１１５に沿って押し上げられる。その結果、この被係合部１２２が突出している表示装置１２０が、図中の矢印Ｄが示す方向に、本体装置１１０から押し上げられる。
【００４２】
本実施形態では、ロック解除ボタン１１２が限界まで押し込まれて、ロック用部品１１３が移動経路の端に達すると、表示装置１２０は本体装置１１０から約４ｍｍ上方まで押し上げられる。
【００４３】
ここで、ここまでに説明した本実施形態のノートＰＣ１００におけるロック機構と比較するための比較例のロック機構について説明する。
【００４４】
図７は、ロック状態にある比較例のロック機構の、図３と同様の拡大断面図である。また、図８は、比較例のロック機構が備えたロック用部品の斜視図である。
【００４５】
尚、比較例のロック機構は、ロック用部品１１３’のみが本実施形態のロック用部品１１３と異なっている。そのため、図７では、ロック用部品１１３’以外の構成要素については、図３に示す本実施形態の構成要素と同じ符号が付されて示されている。また、このことは、比較例のロック機構に関する後述の他の図面についても同様である。
【００４６】
比較例のロック用部品１１３’は、本実施形態のロック用部品１１３と同様に、本体装置１１０前方側にロック解除ボタン１１２’が設けられ、このロック解除ボタン１１２’に対向する壁から本体装置１１０前方側にロック部１１４’が突出している。ただし、この比較例のロック用部品１１３’では、本実施形態のロック用部品１１３と異なり、ロック解除ボタン１１２’の裏側が単なる平面状の壁１１５’となっている。
【００４７】
図７に示すロック状態では、比較例のロック用部品１１３’におけるロック部１１４’が、バネ１１６の付勢力によって被係合部１２２に係合している。そして、比較例のロック機構では、ユーザによってロック解除ボタン１１２’が本体装置１１０奥側に押し込まれると、ロック用部品１１３’が次のように移動してロックが解除される。
【００４８】
図９は、比較例のロック機構においてロックが解除された状態を示す、図３と同様の拡大断面図である。
【００４９】
ロック解除ボタン１１２’が押し込まれると、本実施形態のロック機構と同様に、バネ１１６の付勢力に反してロック用部品１１３’が本体装置１１０奥に移動することで、ロック部１１４’が被係合部１２２から外れる。その結果、ロックが解除される。ただし、この比較例のロック用部品１１３’では、上述したようにロック解除ボタン１１２’の裏側が単なる平面状の壁１１５’である。そのため、ロック解除ボタン１１２’が限界まで押し込まれても、被係合部１２２の位置、延いては表示筐体１２１の位置はロック時の位置のままである。
【００５０】
このようにロックが解除された後、ユーザは次のようにノートＰＣを開く。
【００５１】
図１０は、比較例のロック機構を備えるノートＰＣが開かれる様子を模式的に示す図である。
【００５２】
この図１０に示すように、比較例のロック機構を備えるノートＰＣでは、ユーザは、例えば、上記のようにロック時の位置のままにある表示筐体１２１に指を掛けて、図中の矢印Ｅが示す方向に表示筐体１２１を動かしてノートＰＣを開くこととなる。
【００５３】
ここで、近年では、ノートＰＣについてデザイン性が重視されている。そして、好ましいデザインとして、例えば、図７、９に示すように閉状態に置かれた表示筐体１２１と本体筐体１１１との間で外観上の段差を無くしたデザインが増えている。また、薄型化の進展が著しいノートＰＣでは、ユーザの指のサイズに対して表示筐体１２１の厚みが非常に薄くなっている。
【００５４】
図１１は、比較例のロック機構を備えるノートＰＣについて、ユーザの指のサイズと表示筐体の厚みとを比較した比較図である。
【００５５】
この図１１では、ロック解除後にノートＰＣを開く際に表示筐体１２１に掛けられる指のサイズが、点線の楕円によって模式的に示されている。この図１１に示すように、近年の好ましいデザインでは、ユーザの指のサイズに対して表示筐体１２１の厚みが非常に薄くなっている。そして、上記のように、閉状態に置かれた表示筐体１２１と本体筐体１１１との間で外観上の段差が極力無くされたデザインとなっていることから、ロック解除後にユーザがノートＰＣを開くときの手掛りが少なく、ノートＰＣは開き難くなっている。
【００５６】
以上、図７から図１１までを参照して説明した比較例のロック機構に対し、上述の本実施形態のロック機構によれば、ロック解除ボタン１１２が限界まで押し込まれると、図６に示すように表示筐体１２１が約４ｍｍ程度押し上げられる。その結果、この表示筐体１２１と本体筐体１１１との間に隙間が生じる。本実施形態によれば、この隙間を手掛りとして利用することができるので、上記比較例に比べて表示筐体１２１にユーザの指が係り易く、延いてはノートＰＣが開き易くなっている。
【００５７】
さらに、本実施形態のロック機構では、図５に示すように、ロックが解除されて始めて、被係合部１２２は斜面１１５に乗り上げる。その結果、ロック解除中でまだロック部１１４が被係合部１２２に係合している段階では被係合部１２２の位置が変わらない。そのため、この段階のロック部１１４や被係合部１２２に余分な負荷が掛かってしまう事態が回避される。従って、本実施形態では、このようなロック解除を繰り返しても、ロック部１１４や被係合部１２２に摩滅や破損等が生じる恐れが抑えられる。
【００５８】
以上、説明したように、本実施形態によれば、ノートＰＣ１００について、表示装置１２０の開け難さやロック機構での摩滅や破損の発生を抑えることができる。
【００５９】
ここで、上述の基本形態に対し、上記可動部品と上記操作部品が一体の可動操作部品であるという応用形態は好適である。
【００６０】
この好適な応用形態によれば、部品点数が削減されて、延いては製造コストの低減が図られることとなる。
【００６１】
本実施形態のロック用部品１１３は、この応用形態における可動操作部品の一例に相当する。
【００６２】
また、上述の基本形態に対し、以下に説明する応用形態も好適である。この応用形態では、上記他体が、上記被組込体側に突出して上記操作部品の移動経路上に達した突出部を有するものとなっている。そして、上記操作部品が、上記移動操作の後段で上記突出部に当接することで上記蓋を上記本体に対して押し上げるものとなっている。
【００６３】
この応用形態によれば、上記蓋の押上げを、上記操作部品の上記突出部への当接という簡単な動作で行うことができる。
【００６４】
本実施形態における被係合部１２２は、この応用形態における突出部の一例にも相当している。そして、本実施形態におけるロック用部品１１３は、この応用形態における操作部品の一例にも相当している。
【００６５】
また、上述の基本形態に対し、以下に説明する応用形態も好適である。この応用形態では、上記他体が、上記一部分として、上記被組込体側に突出して上記可動部品の移動経路上に達した突出部を有するものとなっている。そして、上記可動部品が上記突出部と係合するものとなっている。
【００６６】
この応用形態によれば、上記蓋を閉状態に保つロック機構を被組込体側にまとめて作りこむことができる。このため、上記他体のシンプル化を図ることが出来る。
【００６７】
本実施形態における被係合部１２２は、この応用形態における突出部の一例にも相当している。そして、本実施形態におけるロック用部品１１３は、この応用形態における可動部品の一例にも相当している。
【００６８】
また、上述の基本形態に対し、上記操作部品が、上記被組込体に出入りする方向の経路で移動が自在なものであって、その被組込体に押し込まれる操作を受けて上記係合を解くものであるという応用形態も好適である。
【００６９】
この応用形態によれば、押し操作という非常に簡単な１操作によって係合を解くことが出来る。
【００７０】
本実施形態におけるロック用部品１１３は、この応用形態における操作部品の一例にも相当している。
【００７１】
次に、第２実施形態について説明する。
【００７２】
図１２は、蓋付き物品に対する具体的な第２実施形態であるノートＰＣを示す斜視図である。
【００７３】
この図１２のノートＰＣ２００も、上述の第１実施形態のノートＰＣ１００と同様に、ＣＰＵやメモリ等が本体筐体２１１内に収納された本体装置２１０と、液晶パネル等が表示筐体２２１に収納された表示装置２２０を備えている。そして、本体装置２１０と表示装置２２０は、上述の第１実施形態のノートＰＣ１００と同様に、ヒンジ２３０で連結されている。この図１２には、閉状態にあるノートＰＣ２００の外観図が示されている。
【００７４】
本実施形態でも、本体装置２１０が、上述の基本形態における本体の一例に相当する。また、表示装置２２０が、この基本形態における蓋の一例に相当する。
【００７５】
この図１２に示すノートＰＣ２００でも、上述の第１実施形態のノートＰＣ１００と同様に、本体装置２１０や表示装置２２０について、外観上、薄型化や段差の排除等が行われている。
【００７６】
また、本実施形態では、このノートＰＣ２００の表示装置２２０における、図中手前側の側面にロック解除ボタン２２２が配備されている。
【００７７】
本実施形態では、ロック解除時には、ユーザによって、このロック解除ボタン２２２が次のように操作される。
【００７８】
図１３は、第２実施形態におけるロック解除ボタンの拡大斜視図である。
【００７９】
本実施形態のロック解除ボタン２２２は、上述の第１実施形態におけるロック解除ボタン１１２が押しボタンであったのとは異なり、図中の矢印Ｆが示すように、ロック解除時には表示筐体２２１の縁に沿ってスライドされるスライドボタンとなっている。
【００８０】
本実施形態では、このロック解除ボタン２２２が、上述の基本形態における可動部品と操作部品とを兼ねた一例に相当する。
【００８１】
次に、このようなロック解除ボタン２２２によってロックが解除される、本実施形態のロック機構について説明する。
【００８２】
図１４は、図１２の閉状態にあるノートＰＣの、ロック機構周辺についての、このノートＰＣにおける幅方向の拡大断面図である。
【００８３】
この図１４には、図１２中の切断線Ｐ−Ｐに沿った拡大断面図が示されている。
【００８４】
この図１４に示すように、本実施形態では、ロック解除ボタン２２２に、表示装置２２０内部から、閉状態にある本体装置２１０側に向かって表示装置２２０外部に突出する詳細については後述するロック部２２３が設けられている。このロック部２２３の先端は、図中左側にフック状に曲がっている。また、この先端における左側は、図中で右下がりの斜辺となるように成形されている。
【００８５】
また、表示筐体２２１には、このロック部２２３が表示装置２２０外部に突出するための表示装置側ロック用穴２２１ａが設けられている。さらに、本体筐体２１１には、閉状態のときにロック部２２３が後述のように進入するための本体装置側ロック用穴２１１ａが設けられている。
【００８６】
また、ロック解除ボタン２２２は、表示筐体２２１に、図中の矢印Ｇが示す表示装置２２０の幅方向に沿った移動経路で進退自在に取り付けられている。
【００８７】
このロック解除ボタン２２２は、表示筐体２２１内部において、バネ２２４によって図中左側に付勢されている。そして、その付勢により、ロック解除ボタン２２２は移動係路の一端に押し付けられている。
【００８８】
本実施形態のノートＰＣ２００が閉じられると、まず、表示装置２２０外部に突出しているロック部２２３の先端左側の斜辺が、本体装置側ロック用穴２１１ａの左側の縁２１１ａ＿１に当接する。続いて、ノートＰＣ２００が閉じられるにつれて、ロック部２２３の先端左側の斜辺が、この左側の縁２１１ａ＿１によって図中右側に押される。その結果、ノートＰＣ２００が閉じられるにつれて、ロック部２２３の先端は、バネ２２４の付勢力に反して図中右側に移動する。やがて、このロック部２２３の先端におけるフック状に曲がった部分が、本体装置側ロック用穴２１１ａの左側の縁２１１ａ＿１を越えて本体装置２１０内に進入する。すると、バネ２２４の付勢力によってロック部２２３が図中左側に戻る。その結果、ロック部２２３の先端におけるフック状に曲がった部分が、本体装置側ロック用穴２１１ａの左側の縁２１１ａ＿１に係合することとなる。この係合により、ノートＰＣ２００が閉状態にロックされる。
【００８９】
本実施形態では、ロック解除ボタン２２２が組み込まれている表示装置２２０が、上述の基本形態における被組込体の一例に相当する。そして、ロック部２２３の先端におけるフック状に曲がった部分が左側の縁２１１ａ＿１に係合する本体装置側ロック用穴２１１ａが設けられている本体装置２１０が、その基本形態における他体の一例に相当する。また、本体装置側ロック用穴２１１ａの左側の縁２１１ａ＿１が、その基本形態にいう「他体の一部分」の一例に相当する。
【００９０】
ロック解除時には、ユーザによって、ロック解除ボタン２２２が図１３の矢印Ｆが示すように図中右方向にスライドされる。すると、ロック部２２３が、ロック解除ボタン２２２へのバネ２２４の付勢力に反して図中右方向に移動操作されることとなる。そして、この移動操作の前段において、ロック部２２３の先端におけるフック状に曲がった部分が、本体装置側ロック用穴２１１ａの左側の縁２１１ａ＿１から外れる。本実施形態では、ロック部２２３のこの動きによりロックが解除される。
【００９１】
図１５は、ロック部が本体装置側ロック用穴の左側の縁から外れた状態を示す、図１４と同様の拡大断面図である。
【００９２】
本実施形態では、本体筐体２１１内に、閉状態で本体装置２１０内に進入したロック部２２３の図中右側に位置するように、右側に進むにつれて高くなる斜面２１２が形成されている。
【００９３】
上記のようにロック解除ボタン２２３が図中右側にスライドされると、上記のように移動操作の前段においてロック部２２３の先端におけるフック状に曲がった部分が、本体装置側ロック用穴２１１ａの左側の縁２１１ａ＿１から外れる。そして、このときには、ロック部２２３の先端における図中右側の角が上記の斜面２１２に達する。
【００９４】
この移動操作の前段に続く後段では、ロック解除ボタン２２２は図中右側に更にスライドされることとなる。すると、以下に説明するように、この移動操作の後段で、表示装置２２０が押し上げられる。
【００９５】
図１６は、ロック解除ボタンが更にスライドされた状態を示す、図１３と同様の拡大断面図である。
【００９６】
ロック解除ボタン２２２が、図１５に示すロック解除状態を経て、移動操作の後段で図中右側に更に押し込まれると、ロック部２２３の先端の図中右側の角が斜面２１２に乗り上げたまま図中右側に進む。すると、ロック部２２３がこの斜面２１２に沿って押し上げられる。その結果、このロック部２２３が取り付けられている表示装置２２０が、図中の矢印Ｈが示す方向に、本体装置２１０から押し上げられる。
【００９７】
本実施形態では、ロック解除ボタン２２２が、限界までスライドされると、表示装置２２０は本体装置２１０から約５ｍｍ上方まで押し上げられる。
【００９８】
図１７は、限界までスライドされたロック解除ボタンの周辺を示す拡大斜視図である。
【００９９】
この図１７に示すように、ロック解除ボタン２２２が、限界までスライドされると、本体装置側ロック用穴２１１ａの左側の縁２１１ａ＿１から外れたロック部２２３と共に、表示装置２２０が本体装置２１０から押し上げられる。その結果、上記のように表示装置２２１と本体装置２１０との約５ｍｍの隙間Ｊが開くこととなる。
【０１００】
以上、図１２から図１７までを参照して説明した第２実施形態によれば、ロック解除ボタン２２２が限界まで押し込まれると、上述したように表示装置２２０と本体装置２１０との間に隙間が生じる。本実施形態によれば、この隙間を手掛りとして利用することができるので、上述の第１実施形態と同様に、表示装置２２０に指が掛かり易く、延いてはノートＰＣ２００が開き易くなっている。
【０１０１】
さらに、本実施形態のロック機構でも、図１５に示すように、ロックが解除されて始めて、ロック部２２３の図中右側の角は斜面２１２に乗り上げる。このため、ロック解除中でまだロック部２２３が本体装置側ロック用穴２１１ａの左側の縁２１１ａ＿１に係合している段階ではロック部２２３の図中上下方向の位置が変わらない。その結果、この段階のロック部２２３や本体装置側ロック用穴２１１ａの左側の縁２１１ａ＿１に余分な負荷が掛かってしまう事態が回避される。つまり、本実施形態では、このようなロック解除を繰り返しても、ロック部２２３や本体装置側ロック用穴２１１ａの左側の縁２１１ａ＿１に摩滅や破損等が生じる恐れが抑えられる。
【０１０２】
以上、説明したように、本実施形態によれば、上述の第１実施形態と同様に、ノートＰＣ２００について、表示装置２２０の開け難さやロック機構での摩滅や破損の発生を抑えることができる。
【０１０３】
ここで、上述の基本形態に対し、上記操作部品が、上記被組込体から上記他体側に突出した突出部分を有する、上記移動操作の後段でその突出部分が上記他体に当接することで上記蓋を上記本体に対して押し上げるものであるという応用形態は好適である。
【０１０４】
この応用形態によれば、上記蓋の押上げを、上記操作部品が有する突出部分の上記他体への当接という簡単な動作で行うことができる。
【０１０５】
本実施形態におけるロック解除ボタン２２２は、この応用形態における操作部品の一例にも相当している。また、本実施形態におけるロック部２２３が、この応用形態における突出部分の一例に相当する。
【０１０６】
また、上述の基本形態に対し、上記可動部品が、上記被組込体から上記他体側に突出した突出部分を有する、その突出部分が上記他体の上記一部分に係合するものであるという応用形態も好適である。
【０１０７】
この応用形態によれば、係合に要する内部空間が上記被組込体と上記他体側とで分担されることとなる。これにより、上記被組込体と上記他体側とのそれぞれについては、係合に要する内部空間を少なくすることができる。
【０１０８】
本実施形態におけるロック解除ボタン２２２は、この応用形態における可動部品の一例にも相当している。また、本実施形態におけるロック部２２３は、この応用形態における突出部分の一例にも相当している。
【０１０９】
また、上述の基本形態に対し、上記操作部品が、上記被組込体の表面に沿う方向の経路で移動が自在なものであるという応用形態も好適である。
【０１１０】
この応用形態によれば、上記操作部品を上記被組込体の表面近傍に寄せて組み込むことができ、被組込体の省スペース化を図ることができる。
【０１１１】
本実施形態におけるロック解除ボタン２２２は、この応用形態における操作部品の一例にも相当している。
【０１１２】
また、上述の基本形態に対し、以下に説明する応用形態も好適である。この応用形態は、上記蓋の一部を上記本体に連結した、その本体に対してその蓋が回動自在な連結構造の連結部を備えている。そして、上記可動部品および上記操作部品が、上記蓋が上記本体に連結されている上記一部とはその蓋の逆側の部分に組み込まれたものとなっている。
【０１１３】
この応用形態によれば、上記可動部品および上記操作部品を、上記逆側の部分に少なくとも１組だけ組み込むことで、閉状態でのロックやそのロックの解除を簡単に行うことができる。
【０１１４】
ここまでに説明した第１および第２の２つの実施形態それぞれにおけるヒンジ１３０，２３０が、この応用形態における連結部の一例に相当する。また、第１実施形態におけるロック用部品１１３および第２実施形態におけるロック解除ボタン２２２それぞれは、この応用形態における可動部品と操作部品とを兼ねた一例にも相当している。
【０１１５】
次に、第３実施形態について説明する。
【０１１６】
この第３実施形態では、ノートＰＣの本体装置の裏面に着脱自在に装着されるバッテリパックに、後述のロック機構が適用されている。尚、この第３実施形態の表示装置と本体装置とのロックにもロック機構が使われている。しかし、この第３実施形態については、バッテリパックに適用されたロック機構に注目して説明し、表示装置と本体装置とに適用されているロック機構については説明を割愛する。また、バッテリパックの装着とは無縁である表示装置についても、図示および説明を割愛する。
【０１１７】
図１８は、第３実施形態のノートＰＣにおける本体装置を、バッテリパックが装着された裏面を上に向けて裏返した状態で示した斜視図である。
【０１１８】
尚、この図１８では、上記のように図示および説明を割愛する表示装置が取り外された状態で、本体装置３００が図示されている。
【０１１９】
この図１８に示すように、この本体装置３００では、筐体内にＣＰＵやメモリ等が収納された装置部分３１０に、この装置部分３１０に電力を供給するバッテリパック３２０が着脱自在に装着されるようになっている。バッテリパック３２０は、装置部分３１０の裏面側に設けられた凹部に着脱自在に装着される。また、本実施形態では、このバッテリパック３２０の図中上面が、装置部分３１０の裏面を兼ねている。さらに、本実施形態では、装着状態にあるバッテリパック３２０のバッテリ筐体３２１と装置部分３１０との間で、外観上の段差が極力無くされたデザインとなっている。
【０１２０】
本実施形態では、装置部分３１０が、上述の基本形態における本体の一例に相当する。また、バッテリパック３２０が、この基本形態における蓋の一例に相当する。
【０１２１】
また、本実施形態では、バッテリパック３２０は、バッテリ筐体３２１の縁に設けられた後述する複数の係止爪によって、装置部分３１０に支持される構造となっている。
【０１２２】
図１９は、バッテリ筐体の縁の係止爪が見えるように、バッテリパックを装置部分から外した状態を示す斜視図である。
【０１２３】
この図１９では、バッテリ筐体３２１における、本体装置３００と不図示の表示装置とを連結するヒンジ３３０とは反対側の縁が装置部分３１０から外された状態が示されている。そして、図１９では、バッテリ筐体３２１の縁に設けられた複数の係止爪３２２のうち、ヒンジ３３０とは反対側の縁に設けられた３つの係止爪３２２が示されている。
【０１２４】
ここで、本実施形態では、これら３つの係止爪３２２のうち、図中左側の１つの係止爪３２２が、後述するように解除自在にロックされる。そして、装置部分３１０には、この図中左側の係止爪３２２の近傍に、ロック状態を解除するロック解除ボタン３１１が装置部分３１０の幅方向に移動自在に取り付けられている。
【０１２５】
図２０は、ロック状態にある係止爪の周辺を示す拡大図である。
【０１２６】
この図２０では、係止爪３２２を含む、バッテリ筐体３２１側の要素が点線で示されている。係止爪３２２は、この図２０に示すように、バッテリ筐体３２１の角側の側面に、斜面３２２ａが形成されている。
【０１２７】
また、バッテリ筐体３２１には、係止爪３２２から見て、バッテリ筐体３２１の角に近い位置に後述の突起部３２３が設けられている。
【０１２８】
また、装置部分３１０の内部には、ロック状態において係止爪３２２に径合するロック部３１２が、図中の矢印Ｋが示す装置部分３１０の幅方向に沿った移動経路で進退自在に取り付けられている。このロック部３１２の、装置部分３１０の角とは反対側の側面には、係止爪３２２の斜面３２２ａと対応した第１斜面３１２ａが形成されている。また、このロック部３１２の、装置部分３１０の角側の側面には、上記の突起部３２３が後述するように乗り上げる第２斜面３１２ｂが形成されている。
【０１２９】
このロック部３１２は、後述するようにバネによって装置部分３１０の角とは反対側に付勢されている。
【０１３０】
バッテリパック３２０が装置部分３１０に装着される際には、係止爪３２２が、ロック部３１２の図中上方から装置部分３１０に押し込まれる。その際には、係止爪３２２の斜面３２２ａが、ロック部３１２の第１斜面３１２ａに当接する。そして、それら両斜面３２２ａ，３１２ａの傾きに従って、ロック部３１２が、バネの付勢力に反して装置部分３１０の角側にスライドする。やがて、係止爪３２２が、ロック部３１２の側方を通過して装置部分３１０の奥まで押し込まれると、ロック部３１２が、バネの付勢力によって装置部分３１０の角とは反対側にスライドする。これによって、ロック部３１２が係止爪３２２に係合することとなる。
【０１３１】
ここで、ロック部３１２は、装置部分３１０内で、ロック解除ボタン３１１と連結されている。また、上記のようにロック部３１２は、バネによって装置部分３１０の角とは反対側に付勢されている。そのため、ロック解除ボタン３１１もその角とは反対側に付勢され、このロック解除ボタン３１１の移動範囲における、装置部分３１０の角とは反対側に押し付けられた状態となっている。
【０１３２】
本実施形態では、ロック解除ボタン３１１とロック部３１２とを合わせたものが、上述の基本形態における可動部品と操作部品とを兼ねた一例に相当する。また、ロック解除ボタン３１１とロック部３１２とが組み込まれている装置部分３１０が、上述の基本形態における被組込体の一例に相当する。そして、ロック部３１２が係合する係止爪３２２を有するバッテリパック３２０が、この基本形態における他体の一例に相当する。また、係止爪３２２が、この基本形態における「他体の一部分」の一例に相当する。
【０１３３】
ロック解除時には、ユーザによって、ロック解除ボタン３１１が装置部分３１０の角側にスライドされる。すると、ロック部３１２が、バネの付勢力に反して装置部分３１０の角側に移動操作されることとなる。そして、この移動操作の前段において、ロック部３１２が係止爪３２２から外れてロックが解除される。
【０１３４】
また、本実施形態では、この移動操作の前段に続く後段において、ロック解除ボタン３１１は、上記のようにロックが解除される位置よりも更に装置部分３１０の角側にスライドされる。すると、以下に説明するように、この移動操作の後段で、バッテリパック３２０が装置部分３１０から図中上方に押し上げられる。
【０１３５】
図２１は、ロック解除ボタンが限界までスライドされて、バッテリパックが装置部分から押し上げられた様子を示す図である。
【０１３６】
この図２１に示すように、ロック解除ボタン３１１が限界までスライドされると、ロック部３１２も移動経路における装置部分３１０の角側の端までスライドされる。そして、このときには、バッテリ筐体３２１の突起部３２３が、ロック部３１２の第２斜面３１２ｂに乗り上げる。その結果、バッテリ筐体３２１、即ちバッテリパック３２０が装置部分３１０から図中上方に押し上げられることとなる。
【０１３７】
また、上記の図１９に点線で示すように、装置部分３１０のロック解除ボタン３１１側の内部には、フレキシブルプリント基板３１３が配置されている。このフレキシブルプリント基板３１３は、バッテリ筐体３２１側に若干撓んだ形状を有している。このため、バッテリパック３２０が装置部分３１０に装着された状態では、このフレキシブルプリント基板３１３は、バッテリパック３２０を押し上げる方向に付勢する。そして、このフレキシブルプリント基板３１３による付勢力が、上記の突起部３２３の第２斜面３１２ｂへの乗上げによるバッテリパック３２０の押上げを助けることとなっている。
【０１３８】
以下、若干説明が重複するが、上記のロック状態から、移動操作前段でのロックの解除を経て、移動操作後段でバッテリパック３２０が装置部分３１０から押し上げられるまでの動きを別図を用いて説明する。
【０１３９】
図２２は、バッテリパックが装置部分に装着されてロックされた本体装置を示す図である。また、図２３は、ロックが解除された状態の本体装置を示す図である。また、図２４は、ロックの解除後にバッテリパックが装置部分から押し上げられた状態の本体装置を示す図である。
【０１４０】
各図のパート（Ａ）には、本体装置３００の裏面から見た平面図が示されている。パート（Ｂ）には、パート（Ａ）中の切断線Ｌ−Ｌに沿った断面図が示されている。パート（Ｃ）には、パート（Ｂ）中のエリアＭの拡大断面図が示されている。
【０１４１】
図２２に示すように、ロック状態では、上記のロック部３１２が、装置部分３１０内のバネ３１４の付勢力によって、装置部分３１０の角とは反対側に押し付けられている。その結果、このロック部３１２が、バッテリパック３２０の係止爪３２２に係合することなっている。
【０１４２】
そして、ユーザによってロック解除ボタン３１１が、ロック部３１２に対するバネ３１４の付勢力に反して装置部分３１０の角側にスライドされると、図２３に示すようにロック部３１２が係止爪３２２から外れてロックが解除される。
【０１４３】
また、この図２３に示すようにロック部３１２が係止爪３２２から外れた段階で、ロック部３１２の第２斜面３１２ｂが、バッテリパック３２０の突起部３２３に達する。
【０１４４】
続いて、ロック解除ボタン３１１が装置部分３１０の角側に更に限界までスライドされると、図２４に示すように第２斜面３１２ｂに突起部３２３が乗り上げ、図中の矢印Ｎが示す方向にバッテリパック３２０が装置部分３１０から押し上げられる。また、この際には、上述したフレキシブルプリント基板３１３による付勢力が、このバッテリパック３２０の押上げを助けることとなる。
【０１４５】
以上、説明したように、本実施形態では、ロック解除ボタン３１１のスライドにより、バッテリ筐体３２１の係止爪３２２についてのロックが解除されると共に、バッテリ筐体３２１が装置部分３１０から押し上げられる。ここで、上述したように、本実施形態では、装着状態にあるバッテリパック３２０のバッテリ筐体３２１と装置部分３１０との間で、外観上の段差が極力無くされたデザインとなっている。しかし、ロック解除時にバッテリ筐体３２１が押し上げられるので、そのときのバッテリ筐体３２１と装置部分３１０との隙間が手掛りとなってバッテリパック３２０が取り出し易くなっている。
【０１４６】
さらに、バッテリ筐体３２１の押し上げは、ロックが解除された後の、移動操作後段で行われるので、ロック部３１２や係止爪３２２に余分な負荷が掛からず、これらの箇所に摩滅や破損等が生じる恐れが抑えられる。
【０１４７】
以上、説明したように、本実施形態によれば、ノートＰＣの本体装置３００について、バッテリパック３２０の開け難さやロック機構での摩滅や破損の発生を抑えることができる。
【０１４８】
ここで、上述の基本形態に対し、上記本体は、内部に電子機器が組み込まれたものであるという応用形態は好適である。
【０１４９】
この応用形態によれば、上記可動部品と上記操作部品とを有するロック機構を備えた、例えばノートＰＣ等といった電子機器を得ることができる。
【０１５０】
上述した第１および第２の２つの実施形態それぞれにおける本体装置１１０，２１０と、第３実施形態における装置部分３１０とのそれぞれは、この応用形態における本体の一例にも相当している。
【０１５１】
尚、以上に説明した３つの実施形態では、基本形態について説明した蓋付き物品の具体的な実施形態として、ノートＰＣや、ノートＰＣにおいてバッテリパックと装置部分とからなる本体装置を例示した。しかしながら、基本形態について説明した蓋付き物品はこれらに限るものではなく、例えば、何らかの内容物が収容される蓋付きの容器等であっても良い。
【０１５２】
また、上述の第３実施形態は、バッテリパック３２０の複数の係止爪３２２のうち１つの係止爪３２２のみに解除自在のロック機構が設けられた形態となっている。しかしながら、このような複数の係止爪についてのロック機構は、それら複数の係止爪のうちの２つ以上あるいは全ての係止爪それぞれについて設けられても良い。
【０１５３】
以下、上述した基本形態を含む種々の形態に関し、更に以下の付記を開示する。
【０１５４】
（付記１）
本体と、
前記本体に対して開閉自在な蓋と、
前記本体および前記蓋の少なくとも一方である被組込体に組み込まれた、該被組込体に対して決まった経路で移動が自在な、該経路の一端側に向かうにつれて、前記本体および前記蓋のうち該被組込体に対する他方である他体の一部分に接近する、該一部分に最接近することで該一部分と係合して前記蓋を閉状態に保つ可動部品と、
前記被組込体に組み込まれた、該被組込体に対して決まった経路で移動が自在な、該経路の一端側から他端側へと移動操作されることで、その移動操作の前段で前記可動部品に操作力を伝達して該可動部品を前記一部分から離れる方向へと前記経路上で移動させて該可動部品と該一部分との係合を解き、該移動操作の後段で前記蓋に操作力を伝達して該蓋を前記本体に対して押し上げる操作部品とを備えたことを特徴とする蓋付き物品。
【０１５５】
（付記２）
前記可動部品と前記操作部品が一体の可動操作部品であることを特徴とする付記１記載の蓋付き物品。
【０１５６】
（付記３）
前記他体が、前記被組込体側に突出して前記操作部品の移動経路上に達した突出部を有するものであり、
前記操作部品が、前記移動操作の後段で前記突出部に当接することで前記蓋を前記本体に対して押し上げるものであることを特徴とする付記１または２記載の蓋付き物品。
【０１５７】
（付記４）
前記他体が、前記一部分として、前記被組込体側に突出して前記可動部品の移動経路上に達した突出部を有するものであり、
前記可動部品が前記突出部と係合するものであることを特徴とする付記１から３のうちいずれか１項記載の蓋付き物品。
【０１５８】
（付記５）
前記操作部品が、前記被組込体から前記他体側に突出した突出部分を有する、前記移動操作の後段で該突出部分が前記他体に当接することで前記蓋を前記本体に対して押し上げるものであることを特徴とする付記１または２記載の蓋付き物品。
【０１５９】
（付記６）
前記可動部品が、前記被組込体から前記他体側に突出した突出部分を有する、該突出部分が前記他体の前記一部分に係合するものであることを特徴とする付記１、２、および５のうちいずれか１項記載の蓋付き物品。
【０１６０】
（付記７）
前記操作部品が、前記被組込体に出入りする方向の経路で移動が自在なものであって、該被組込体に押し込まれる操作を受けて前記係合を解くものであることを特徴とする付記１から６のうちいずれか１項記載の蓋付き物品。
【０１６１】
（付記８）
前記操作部品が、前記被組込体の表面に沿う方向の経路で移動が自在なものであることを特徴とする付記１から６のうちいずれか１項記載の蓋付き物品。
【０１６２】
（付記９）
前記蓋の一部を前記本体に連結した、該本体に対して該蓋が回動自在な連結構造の連結部を備え、
前記可動部品および前記操作部品が、前記蓋が前記本体に連結されている前記一部とは該蓋の逆側の部分に組み込まれたものであることを特徴とする付記１から８のうちいずれか１項記載の蓋付き物品。
【０１６３】
（付記１０）
前記本体は、内部に電子機器が組み込まれたものであることを特徴とする付記１から９のうちいずれか１項記載の蓋付き物品。
【符号の説明】
【０１６４】
１００，２００    ノートＰＣ
１１０，２１０，３００    本体装置
１１１，２１１    本体筐体
１１１ａ    ロック用穴
１１２，１１２’，２２２，３１１    ロック解除ボタン
１１３，１１３’    ロック用部品
１１４，１１４’，２２３，３１２    ロック部
１１５，２１２，３２２ａ    斜面
１１５’    壁
１１６，２２４，３１４    バネ
１２０，２２０    表示装置
１２１，２２１    表示筐体
１２２    被係合部
１３０，２３０，３３０    ヒンジ
２１１ａ    本体装置側ロック用穴
２１１ａ＿１    左側の縁
２２１ａ    表示装置側ロック用穴
３１０    装置部分
３１２ａ    第１斜面
３１２ｂ    第２斜面
３１３    フレキシブルプリント基板
３２０    バッテリパック
３２１    バッテリ筐体
３２２    係止爪
３２３    突起部
【図１】
2011108170.tif 000003
【図２】
2011108170.tif 000004
【図３】
2011108170.tif 000005
【図４】
2011108170.tif 000006
【図５】
2011108170.tif 000007
【図６】
2011108170.tif 000008
【図７】
2011108170.tif 000009
【図８】
2011108170.tif 000010
【図９】
2011108170.tif 000011
【図１０】
2011108170.tif 000012
【図１１】
2011108170.tif 000013
【図１２】
2011108170.tif 000014
【図１３】
2011108170.tif 000015
【図１４】
2011108170.tif 000016
【図１５】
2011108170.tif 000017
【図１６】
2011108170.tif 000018
【図１７】
2011108170.tif 000019
【図１８】
2011108170.tif 000020
【図１９】
2011108170.tif 000021
【図２０】
2011108170.tif 000022
【図２１】
2011108170.tif 000023
【図２２】
2011108170.tif 000024
【図２３】
2011108170.tif 000025
【図２４】
2011108170.tif 000026